(57)【要約】      （修正有）【課題】引き抜き骨が上にアーチを形成し、傘面の形状が美しくなるマルチ折り畳み傘の傘骨を提供する。【解決手段】複数の傘骨ユニットからなり、それぞれの傘骨ユニットが内から外へ順次に接続される主歯槽骨１、１つ或いは１つ以上の中骨５及び尾骨３を備え、中骨の上部或いは下部に引き糸６が取り付けられ、少なくとも１つの中骨及びその対応する引き糸の上方に引き抜き骨７が取り付けられ、傘骨ユニットが開いた状態で、引き抜き骨の長さがその両端の取り付け孔１１，３１の間の距離より大きく、これによって該引き抜き骨が上にアーチを形成する。【選択図】図２
0003187507.tif 000002
【実用新案登録請求の範囲】
【請求項１】
複数の傘骨ユニットからなり、それぞれの傘骨ユニットが内から外へ順次に接続される主歯槽骨（１）、１つ或いは１つ以上の中骨（５）及び尾骨（３）を備え、前記中骨（５）の上部或いは下部に引き糸（６）が取り付けられるマルチ折り畳み傘の傘骨であって、
少なくとも１つの中骨（５）及びその対応する引き糸（６）の上方に引き抜き骨（７）が取り付けられ、傘骨ユニットが開いた状態で、該引き抜き骨（７）の長さがその両端の取り付け孔の間の距離より大きく、これによって該引き抜き骨（７）が上にアーチするラジアンを形成することを特徴とするマルチ折り畳み傘の傘骨。
【請求項２】
前記中骨（５）及びその対応する引き糸（６）をそれぞれ１つ備え、
前記主歯槽骨（１）の外端部に第１取り付け孔（１１）が開設され、前記尾骨（３）の内端部に第２取り付け孔（３１）と第３取り付け孔（３２）が開設され、該第３取り付け孔（３２）が第２取り付け孔（３１）の外側に位置し、前記引き糸（６）の内外の両端が前記第１取り付け孔（１１）と第３取り付け孔（３２）にそれぞれ接続され、前記引き抜き骨（７）の内外の両端が前記第１取り付け孔（１１）と第２取り付け孔（３１）にそれぞれ接続されることを特徴とする請求項１に記載のマルチ折り畳み傘の傘骨。
【請求項３】
前記中骨（５）及びその対応する引き糸（６）をそれぞれ１つ備え、
前記主歯槽骨（１）の外端部に第１取り付け孔（１１）と第５取り付け孔（１２）が開設され、該第５取り付け孔（１２）が第１取り付け孔（１１）の外側に位置し、前記尾骨（３）の内端部に第２取り付け孔（３１）が開設され、前記引き糸（６）の内外の両端が前記第１取り付け孔（１１）と第２取り付け孔（３１）にそれぞれ接続され、前記引き抜き骨（７）の内外の両端が前記第５取り付け孔（１２）と第２取り付け孔（３１）にそれぞれ接続されることを特徴とする請求項１に記載のマルチ折り畳み傘の傘骨。
【請求項４】
前記中骨（５）が内から外へ順次に接続される第１中骨（５１）と第２中骨（５２）を備え、前記引き糸（６）が該第１中骨（５１）と第２中骨（５２）上部或いは下部にそれぞれ取り付けられる第１引き糸（６１）と第２引き糸（６２）を備え、前記引き抜き骨（７）が前記第２中骨（５２）の上方に取り付けられることを特徴とする請求項１に記載のマルチ折り畳み傘の傘骨。
【請求項５】
前記第１中骨（５１）の外端部に第４取り付け孔（５３）が開設され、前記尾骨（３）の内端部に第２取り付け孔（３１）と第３取り付け孔（３２）が開設され、該第３取り付け孔（３２）が第２取り付け孔（３１）の外側に位置し、前記第２引き糸（６２）の内外の両端が前記第４取り付け孔（５３）と第３取り付け孔（３２）にそれぞれ接続され、前記引き抜き骨（７）の内外の両端が前記第４取り付け孔（５３）と第２取り付け孔（３１）にそれぞれ接続されることを特徴とする請求項４に記載のマルチ折り畳み傘の傘骨。
【請求項６】
前記第１中骨（５１）の外端部に第４取り付け孔（５３）と第６取り付け孔（５４）が開設され、該第６取り付け孔（５４）が第４取り付け孔（５３）の外側に位置し、前記尾骨（３）の内端部に第２取り付け孔（３１）が開設され、前記第２引き糸（６２）の内外の両端が前記第４取り付け孔（５３）と第２取り付け孔（３１）にそれぞれ接続され、前記引き抜き骨（７）の内外の両端が前記第６取り付け孔（５４）と第２取り付け孔（３１）にそれぞれ接続されることを特徴とする請求項４に記載のマルチ折り畳み傘の傘骨。
【考案の詳細な説明】
【技術分野】
【０００１】
本実用新案は、日常に使用される傘具構造に関し、特にマルチ折り畳み傘の傘骨構造の改良に関する。
【背景技術】
【０００２】
従来のマルチ折り畳み傘は、その傘骨ユニットの構造が、一般的には図１に示すように、内側の主歯槽骨９１と短い歯槽骨９２、外側の尾骨９３及び中部の中骨９５から接続してなり、従来のこのマルチ折り畳み傘構造は、三つ折り式折り畳み傘であり、即ち、その主歯槽骨９１と中骨９３との接続個所の位置が低く、四つ折り式折り畳み傘であり、即ち、その隣接する中骨の接続個所の位置が低く、傘骨に傘クロスが取り付けられる時、傘クロスが該位置がより低い個所に下に引込み、これによって傘面の形状を滑らかにせず、美しさが損なわれる。
【考案の概要】
【考案が解決しようとする課題】
【０００３】
本実用新案の解決しようとする技術問題は、傘面を支持でき、形状をもっとフルにして、もっと美しくするマルチ折り畳み傘の傘骨を提供することにある。
【０００４】
本実用新案が前記技術問題を解決し、採用する技術方案は、マルチ折り畳み傘の傘骨を設計して製造し、複数の傘骨ユニットからなり、それぞれの傘骨ユニットが内から外へ順次に接続される主歯槽骨、１つ或いは１つ以上の中骨及び尾骨を備え、前記中骨の上部或いは下部に引き糸が取り付けられるものである。
【０００５】
少なくとも１つの中骨及びその対応する引き糸の上方に引き抜き骨が取り付けられ、傘骨ユニットが開いた状態で、該引き抜き骨の長さがその両端の取り付け孔の間の距離より大きく、これによって該引き抜き骨が上にアーチするラジアンを形成する。
【０００６】
三つ折り式折り畳み傘に用いられる時、前記中骨及びその対応する引き糸がそれぞれ１つ設けられ、前記主歯槽骨の外端部に第１取り付け孔が開設され、前記尾骨の内端部に第２取り付け孔と第３取り付け孔が開設され、該第３取り付け孔が第２取り付け孔の外側に位置し、前記引き糸の内外の両端が前記第１取り付け孔と第３取り付け孔にそれぞれ接続され、前記引き抜き骨の内外の両端が前記第１取り付け孔と第２取り付け孔にそれぞれ接続される。
【０００７】
或いは、前記中骨及びその対応する引き糸がそれぞれ１つ設けられ、前記主歯槽骨の外端部に第１取り付け孔と第５取り付け孔が開設され、該第５取り付け孔が第１取り付け孔の外側に位置し、前記尾骨の内端部に第２取り付け孔が開設され、前記引き糸の内外の両端が前記第１取り付け孔と第２取り付け孔にそれぞれ接続され、前記引き抜き骨の内外の両端が前記第５取り付け孔と第２取り付け孔にそれぞれ接続される。
【０００８】
四つ折り式折り畳み傘に用いられる時、前記中骨が内から外へ順次に接続される第１中骨と第２中骨を備え、前記引き糸が該第１中骨と第２中骨の上部或いは下部にそれぞれ取り付けられる第１引き糸と第２引き糸を備え、前記引き抜き骨が前記第２中骨の上方に取り付けられる。
【０００９】
前記第１中骨の外端部に第４取り付け孔が開設され、前記尾骨の内端部に第２取り付け孔と第３取り付け孔が開設され、該第３取り付け孔が第２取り付け孔の外側に位置し、前記第２引き糸の内外の両端が前記第４取り付け孔と第３取り付け孔にそれぞれ接続され、前記引き抜き骨の内外の両端が前記第４取り付け孔と第２取り付け孔にそれぞれ接続される。
【００１０】
或いは、前記第１中骨の外端部に第４取り付け孔と第６取り付け孔が開設され、該第６取り付け孔が第４取り付け孔の外側に位置し、前記尾骨の内端部に第２取り付け孔が開設され、前記第２引き糸の内外の両端が前記第４取り付け孔と第２取り付け孔にそれぞれ接続され、前記引き抜き骨の内外の両端が前記第６取り付け孔と第２取り付け孔にそれぞれ接続される。
【考案の効果】
【００１１】
従来の技術に比べて、本実用新案のマルチ折り畳み傘の傘骨が傘骨の凹面に上にアーチする引き抜き骨を増設し、傘骨が開いた状態で、傘面の本来容易に沈下する個所は該引き抜き骨によって支えられ、これによって傘面の形状をもっとフルにさせ、もっと美しくする。
【図面の簡単な説明】
【００１２】
【図１】従来のマルチ折り畳み傘の傘骨の構造模式図である。
【図２】本実用新案の三つ折り式折り畳み傘の傘骨の実施例１の構造模式図である。
【図３】本実用新案の四つ折り式折り畳み傘の傘骨の実施例１の構造模式図である。
【図４】三つ折り式折り畳み傘の実施例１の、前記引き抜き骨（７）と尾骨（３）との接続個所の拡大図である。
【図５】本実用新案の三つ折り式折り畳み傘の傘骨の実施例２の構造模式図である。
【図６】本実用新案の四つ折り式折り畳み傘の傘骨の実施例２の構造模式図である。
【図７】三つ折り式折り畳み傘の実施例２の、前記引き抜き骨（７）と主歯槽骨（１）との接続個所の拡大図である。
【考案を実施するための形態】
【００１３】
以下、図面に示す最適な実施例を組み合わせ、さらに詳しく説明する。
【００１４】
本実用新案のマルチ折り畳み傘の傘骨は複数の傘骨ユニットからなり、図２と図３で示すように、それぞれの傘骨ユニットが主歯槽骨（１）、短い歯槽骨（２）、尾骨（３）、前記主歯槽骨（１）と尾骨（３）との間に接続される１つ或いは１つ以上の中骨（５）、前記中骨（５）の上部或いは下部に取り付けられる引き糸（６）及び中骨（５）と短い歯槽骨（２）が接続される接続バー（８１）或いは（８２）を備える。そのうち、前記主歯槽骨（１）と短い歯槽骨（２）の内端が傘の上、下巣体に枢支連結され、短い歯槽骨（２）の外端が前記主歯槽骨（１）の中部にヒンジで連結される。本実用新案の特別な所は、前記中骨（５）及びその対応する引き糸（６）の上方に引き抜き骨（７）が取り付けられ、傘骨ユニットが開いた状態で、該引き抜き骨（７）の長さがその両端の取り付け孔の間の距離より大きく、これによって該引き抜き骨（７）が上にアーチするラジアンを形成し、且つ傘骨の位置がより低い部位に支持され、これによって傘面の形状をもっとフルにして、もっと美しくすることにある。
【００１５】
以下、それぞれ三つ折り式折り畳み傘と四つ折り式折り畳み傘を例として説明する。
【００１６】
図２で示すように、三つ折り式折り畳み傘に、前記中骨（５）が１つが設けられ、前記引き糸（６）１つも設けられ、前記主歯槽骨（１）の外端部に第１取り付け孔（１１）が開設され、図４の実施例１で示すように、前記尾骨（３）の内端部に第２取り付け孔（３１）と第３取り付け孔（３２）が開設され、該第３取り付け孔（３２）が第２取り付け孔（３１）の外側に位置し、前記引き糸（６）の内外の両端が前記第１取り付け孔（１１）と第３取り付け孔（３２）にそれぞれ接続され、前記引き抜き骨（７）の内外の両端が前記第１取り付け孔（１１）と第２取り付け孔（３１）にそれぞれ接続され、即ち、引き糸（６）と引き抜き骨（７）の内端が同じ位置に接続され、しかし引き抜き骨（７）の外端の接続点が引き糸（６）の外端の接続点の内側に位置し、このように、傘骨を折る時、尾骨（３）の内端部が上と外に回転され、これによって引き抜き骨（７）を伸ばし、引き糸（６）に近づき、従って傘のコレクション体積を増加できない。
【００１７】
当然、図５と図７の実施例２で示すように、前記主歯槽骨（１）の外端部に第１取り付け孔（１１）と第５取り付け孔（１２）が開設されることができ、且つ該第５取り付け孔（１２）が第１取り付け孔（１１）の外側に位置し、前記尾骨（３）の内端部に第２取り付け孔（３１）が開設される。前記引き糸（６）の内外の両端が前記第１取り付け孔（１１）と第２取り付け孔（３１）にそれぞれ接続され、前記引き抜き骨（７）の内外の両端が前記第５取り付け孔（１２）と第２取り付け孔（３１）にそれぞれ接続され、即ち、引き糸（６）と引き抜き骨（７）の外端が同じ位置に接続され、しかし、引き抜き骨（７）の内端の接続点が引き糸（６）の内端の接続点の外側に位置し、このように同様に上記傘を折る時、引き抜き骨（７）を伸ばす效果に達することもできる。
【００１８】
四つ折り式折り畳み傘に、図３の実施例１で示すように、前記中骨が２つが設けられ、それぞれ内から外へ順次に接続される第１中骨（５１）と第２中骨（５２）であり、前記引き糸も２つ設けられ、それぞれ該第１中骨（５１）と第２中骨（５２）の上部或いは下部に取り付けられる第１引き糸（６１）と第２引き糸（６２）である。前記引き抜き骨（７）が前記第２中骨（５２）の上方に取り付けられる。前記第１中骨（５１）の外端部に第４取り付け孔（５３）が開設され、前記尾骨（３）の内端部に第２取り付け孔（３１）と第３取り付け孔（３２）が開設され、且つ該第３取り付け孔（３２）が第２取り付け孔（３１）の外側に位置する。前記第２引き糸（６２）の内外の両端が前記第４取り付け孔（５３）と第３取り付け孔（３２）にそれぞれ接続され、前記引き抜き骨（７）の内外の両端が前記第４取り付け孔（５３）と第２取り付け孔（３１）にそれぞれ接続される。同様に、第２引き糸（６２）と引き抜き骨（７）の内端が同じ位置に接続されるが、引き抜き骨（７）の外端の接続点が第２引き糸（６２）の外端の接続点の内側に位置し、この構造は傘骨を折る時、引き抜き骨（７）を伸ばすことができ、傘のコレクション体積は増加しない。
【００１９】
或いは、図６の実施例２の示すように、前記第１中骨（５１）の外端部に第４取り付け孔（５３）と第６取り付け孔（５４）が開設され、該第６取り付け孔（５４）が第４取り付け孔（５３）の外側に位置し、前記尾骨（３）の内端部に第２取り付け孔（３１）が開設される。前記第２引き糸（６２）の内外の両端が前記第４取り付け孔（５３）と第２取り付け孔（３１）にそれぞれ接続され、前記引き抜き骨（７）の内外の両端が前記第６取り付け孔（５４）と第２取り付け孔（３１）にそれぞれ接続される。この構造は同様に上記傘を折る時、引き抜き骨（７）を伸ばす效果に達することもできる。
【００２０】
本実用新案のマルチ折り畳み傘の傘骨は五つ折り式折り畳み傘、六つ折り式折り畳み傘等にも用いられることができ、引き抜き骨（７）が１本、２本或いは複数本設置されることができ、且つ傘骨の位置がより低い個所に設置され、同様に傘面のラインを滑らか且つ、フルにする目的に達する。
【００２１】
上記が本実用新案の好ましい実施例のみであり、本実用新案を制限するものではなく、当業者にとって、本実用新案が各種の変更と変化を有することができる。本実用新案の精神と原則における任意の修正、同等の置き換え、改良等がいずれも本実用新案の保護範囲に含まれるべきである。
【図１】
0003187507.tif 000003
【図２】
0003187507.tif 000004
【図３】
0003187507.tif 000005
【図４】
0003187507.tif 000006
【図５】
0003187507.tif 000007
【図６】
0003187507.tif 000008
【図７】
0003187507.tif 000009
【手続補正書】
【提出日】平成25年10月3日(2013.10.3)
【手続補正１】
【補正対象書類名】実用新案登録請求の範囲
【補正対象項目名】請求項１
【補正方法】変更
【補正の内容】
【請求項１】
複数の傘骨ユニットからなり、それぞれの傘骨ユニットが内から外へ順次に接続される主歯槽骨（１）、１つ或いは１つ以上の中骨（５）及び尾骨（３）を備え、前記中骨（５）の上部或いは下部に引き糸（６）が取り付けられるマルチ折り畳み傘の傘骨であって、
少なくとも１つの中骨（５）及びその対応する引き糸（６）の上方に引き抜き骨（７）が取り付けられ、傘骨ユニットが開いた状態で、該引き抜き骨（７）の長さがその両端の取り付け孔の間の距離より大きく、これによって該引き抜き骨（７）が上にアーチを形成することを特徴とするマルチ折り畳み傘の傘骨。